(57)【要約】【課題】バルブボディに配管を取り付け等の際に使用されるレンチであって多くの配管がめぐらされている現場でも容易に作業ができるレンチを提供する。【解決手段】バルブボディ41に配管を取り付け等の際に使用されるレンチ1であって、ベース部11の両端に同方向に立設する２つの立設部12,13を有する本体10と、立設部の対面方向にベース部11の上面14をスライドするスライド体20と、スライド体20を押圧する軸体30とを備え、立設部13には、スライド方向に貫通する雌ねじ部15が形成されており、軸体30は、先端側に雌ねじ部15とねじ合わせられる雄ねじ部31を有し、スライド体20は、軸体30の押圧部34が挿入される凹部26、および他方の立設部12と対向する挟持面21を有し、軸体30は、先端に雄ねじ部31よりも小径の押圧部34を備え、押圧部34が凹部26に挿入されている。【選択図】図１
2019155551.tif 000002
【特許請求の範囲】
【請求項１】
バルブボディに配管を取り付けまたは取り外す際に使用されるレンチであって、
ベース部の両端に同方向に立設する２つの立設部を有する本体と、
前記２つの立設部の間のベース部の上面を摺動するスライド体と、
該スライド体を押圧する軸体とを備えており、
前記２つの立設部の一方の立設部には、前記スライド体の摺動方向と平行方向に貫通する雌ねじ部を形成し、
前記軸体は、先端側に前記雌ねじ部と螺合する雄ねじ部及び該雄ねじ部よりも後端側にに連なるハンドル部を有し、
前記スライド体は、前記軸体の先端部が挿入される凹部及び前記２つの立設部の他方の立設部と対向する挟持面を有し、
前記軸体は、前記先端側の雄ねじ部のさらに先端に前記雄ねじ部よりも小径の押圧部を備え、該押圧部が前記凹部に挿入されているレンチ。
【請求項２】
前記スライド体の凹部に備えられた、スライド方向に垂直で、かつ前記ベース部の上面に平行なピンと、前記軸体の押圧部の外周面に形成された環状溝とによって、前記ピンと前記環状溝とが回転方向にはめ合わされている請求項１に記載のレンチ。
【請求項３】
前記スライド体の凹部の内側面に形成された環状溝と、前記軸体の押圧部の直径位置に径方向にあけられた貫通孔に挿入されるピンとによって、前記ピンが前記環状溝に摺動可能にはめ合わされている請求項１に記載のレンチ。
【請求項４】
前記ベース部のスライド方向の側面に被把持対象物のサイズに対応するマークがマーキングされている請求項１〜３のいずれか１項に記載のレンチ。
【請求項５】
前記ベース部の上面および前記スライド体の底面のいずれか一方にガイド溝が形成され、他方には当該ガイド溝と摺動可能な凸部が設けられている請求項１〜４のいずれか１項に記載のレンチ。
【発明の詳細な説明】
【技術分野】
【０００１】
この発明は、バルブボディに配管を取り付けまたは取り外す際に使用されるレンチに関する。
【背景技術】
【０００２】
バルブボディに配管を取り付ける際やバルブボディから配管を取り外す場合は、通常、バルブボディをレンチで固定して、配管の接続部に配されたナット等を他のレンチで締め付け、または緩めて行う。
【０００３】
バルブボディのサイズはまちまちであり、ナット等のサイズもまちまちであるので、一般的に図６に示すように２本の可変式のレンチ、通称モンキーレンチ５０と呼ばれる工具を用いて行っている。
【０００４】
左側のモンキーレンチ５０をバルブ４０のバルブボディ４１に矢印方向にあてがって、右側のモンキーレンチ５０を使って締結ナット４２を締め付けたり、緩めたりして行う。
【発明の概要】
【発明が解決しようとする課題】
【０００５】
図６に示すような方法でバルブボディ４１に配管の取り付けや取り外しを行う方法では、バルブ周辺に多くの配管が張り巡らされている場合には、モンキーレンチ５０を配管の間をくぐってバルブボディ４１や締結ナット４２に嵌め合わせることができない。また、モンキーレンチ５０の把持の間隔調節を、把持部近傍で行うので、張り巡らされた配管が邪魔となって調節することができない。
【０００６】
可変式でない固定式レンチを用いる場合は、形状がシンプルでコンパクトであるので、バルブボディ４１や締結ナット４２に嵌め合わせることはできるが、数多くのサイズのレンチを準備して行わなければならないので作業が煩雑となる。
【０００７】
この発明の目的は、バルブボディに配管を取り付けまたは取り外す際に使用されるレンチであって、形状がコンパクトであり、多くの配管がめぐらされている現場でも容易にバルブボディ等にはめ合わすことができ、かつ、種々のサイズのバルブボディ等にも対応できる可変式レンチを提供することである。
【課題を解決するための手段】
【０００８】
本発明（１）によるレンチは、バルブボディに配管を取り付けまたは取り外す際に使用されるレンチであって、ベース部の両端に同方向に立設する２つの立設部を有する本体と、前記２つの立設部の間のベース部の上面を摺動するスライド体と、該スライド体を押圧する軸体とを備えており、前記２つの立設部の一方の立設部には、スライド体の摺動方向と平行方向に貫通する雌ねじ部を形成し、前記軸体は、先端側に前記雌ねじ部と螺合する雄ねじ部及び該雄ねじ部よりも後端側に連なるハンドル部を有し、前記スライド体は、前記軸体の先端部が挿入される凹部及び前記２つの立設部の他方の立設部と対向する挟持面を有し、前記軸体は、先端側雄ねじ部のさらに先端にねじ部よりも小径の押圧部を備え、該押圧部が前記凹部に挿入されていることを特徴としている。
【０００９】
本レンチは、本体とスライド体と軸体の３つのパーツから構成されている。
【００１０】
本体は、ベース部とベース部の両端に同方向に立設する２つの立設部を有しており、略コ字形状をしている。この２つの立設部の間のボディ部の上面をスライド体がスライドする。一方の立設部には、この立設部を貫通して雌ねじが切られており、この雌ねじに軸体の雄ねじが螺合をして、軸体を回転することでスライド体をスライドさせることができる。
【００１１】
このスライド体がない場合は、軸体の先端側端面がバルブボディ等に直接に接触するため、軸体の回転によって、バルブボディ等の接触面に円状の傷をつけてしまう。このスライド体を設けてスライド体をスライドさせることによってこのような傷の発生を回避することができる。
【００１２】
スライド体には、軸体の先端端面と当接し軸体の押圧部が挿入される凹部が設けられている。また、スライド体の先端側端面は、他方の立設部と対向する平面となっており、立設部とスライド体で挟まれる平行平面でバルブボディ等を把持できる。
【００１３】
スライド体の凹部と軸体の押圧部とは軸方向に一体化されているので、軸体を回転させることでスライド体を軸体の軸方向にスライドさせることができる。軸体の回転は、手元にある軸体のハンドル部の回転で行うことができるので、配管が複雑に張り巡らされている現場においても容易に把持の間隔を調節することができる。
【００１４】
本発明（２）によるレンチは、前記スライド体の凹部に備えられた、スライド方向に垂直で、かつ前記ベース部の上面に平行なピンと、前記軸体の押圧部の外周面に形成された環状溝とによって、前記ピンと前記環状溝とが回転方向にはめ合わされている本発明（１）に記載のレンチである。
【００１５】
本発明（２）によるレンチにおいては、このピンと環状溝が回転方向にはめ合わされていることによって、軸体の回転運動をスライド体の平行移動運動に変換することができる。ピンと環状溝という非常にシンプルな構造であるので、この機構は低コストで実現可能である。
【００１６】
本発明（３）によるレンチは、前記スライド体の凹部の内側面に形成された環状溝と、前記軸体の押圧部の直径位置に径方向にあけられた貫通孔に挿入されるピンとによって、前記ピンが前記環状溝に摺動可能にはめ合わされている本発明（１）に記載のレンチである。
【００１７】
本発明（３）によるレンチにおいては、本発明（２）とは逆に、スライド体の凹部の内側面に形成された環状溝と、軸体の押圧部の直径位置に径方向にあけられた貫通孔に挿入されるピンとによって、ピンが環状溝に摺動可能にはめ合わされている。この構造によって、軸体の回転運動をスライド体の平行移動運動に変換することができる。ピンと環状溝という非常にシンプルな構造であるので、この機構は低コストで実現可能である。
【００１８】
本発明（４）によるレンチは、前記ベース部のスライド方向に平行な側面に被把持対象物のサイズに対応するマークがマーキングされている本発明（１）〜（３）のいずれかに記載のレンチである。
【００１９】
ベース部のスライド方向に平行な側面にバルブボディ等の被把持対象物のサイズに対応するマークがマーキングされているので、予めその位置に立設部とスライド体による把持間隔を調節しておくことによって作業が容易となる。
【００２０】
本発明（５）によるレンチは、前記ベース部の上面および前記スライド体の底面のいずれか一方にガイド溝が形成され、他方には当該ガイド溝と摺動可能な凸部が設けられている本発明（１）〜（４）のいずれかに記載のレンチである。
【００２１】
ベース部の上面およびスライド体の底面のいずれか一方にガイド溝が形成され、他方にはこのガイド溝と摺動可能な凸部が設けられているので、スライド体の動きがよりスムーズとなり、スライド体がわずかな横ぶれ等もすることがなくなる。
【発明の効果】
【００２２】
この発明によるレンチによると、バルブボディに配管を取り付けまたは取り外す際、形状がコンパクトであるので多くの配管がめぐらされている現場でも容易にバルブボディ等にはめ合わすことができ、把持間隔が可変であることから本レンチ１本で種々のサイズのバルブ等に使用可能となる。
【図面の簡単な説明】
【００２３】
【図１】この発明によるレンチの実施例１の一部縦断面図である。
【図２】この発明によるレンチの実施例１の先端部分を拡大した一部縦断面図である。
【図３】この発明によるレンチの実施例２の先端部分を拡大した一部縦断面図である。
【図４】図２のＡ−Ａで切断した横断面図である。
【図５】実施例１のレンチを用いて、バルブボディを保持している例を示す図である。
【図６】従来の方法でバルブボディに配管を接続している様子を示す斜視図である。
【発明を実施するための形態】
【００２４】
以下、図面を参照して、本発明の好適な実施例を詳しく説明する。便宜的に図面上での方向によって部位等の方向を上下左右と指称することがあるが、これらは本発明の範囲を限定するものではない。
【００２５】
この発明によるレンチの実施例を示す図１は、レンチ１の一部縦断面図であり、本体１０とスライド体２０と軸体３０の３つのパーツから構成されている。図２は、図１の先端部分の拡大図である。
【００２６】
本体１０は、水平なベース部１１の両端に上方に２つの立設部１２，１３が突出している。ベース部１１の上面１４は平面であり、立設部１３には雌ねじ部１５が形成されている。
【００２７】
立設部１２と立設部１３の間には、上面１４を左右にスライドするスライド体２０があり、スライド体２０には凹部２６が形成されている。図２に示す実施例１では、スライド体２０の横方向にピン２２が備えられている。
【００２８】
軸体３０は、環状溝３５が形成された押圧部３４と、押圧部３４に連なる雄ねじ部３１と、雄ねじ部３１に連なるハンドル部３２とからなり、ハンドル部３２の端部には、ローレット部３３が形成されている。
【００２９】
軸体３０を左方向に動くように回転させると、ピン２２と環状溝３５とは回転方向にはめ合わされているので、押圧部３４がスライド体２０を押圧し左方向にスライドさせられる。
【００３０】
バルブボディ等の被把持対象物は、立設部１２の右側平面である把持面１６と、スライド体２０の左側側面である挟持面２１とによって挟まれて把持される。
【００３１】
軸体３０を右方向に動くように回転させると、ピン２２と環状溝３５とは回転可能にはめ合わされているので、環状溝３５の左側側面がピン２２を押圧し、スライド体２０は右方向にスライドさせられる。
【００３２】
ベース１１の横方向側面にはマーク１７がマーキングされている。このマーク１７は、バルブボディ等のサイズに対応したもので、予め保持間隔をこのマーク１７に従って開いておくと、作業がより楽になる。
【００３３】
図３は、実施例１とは異なった一体化手段を有する実施例２の先端部分の一部縦断面図を示している。押圧部３４には、貫通孔３７があけられ、この貫通孔３７にピン３６が挿入され、貫通孔３７の上下の口からピン３６の両端部が突出して、この両端部は、スライド体２０の凹部２６の内周面に形成された環状溝２３と摺動可能にはめ合わされている。
【００３４】
軸体３０を左方向に動くように回転させると、ピン３６と環状溝２３とは摺動可能にはめ合わされているので、押圧部３４がスライド体２０を押圧し左方向にスライドさせられる。
【００３５】
ピン３６を組み立てる方法は、スライド体２０の上側壁にあけられた貫通孔２７を通してピン３６を入れた後に、貫通孔２７の入り口を封鎖する方法や、ピン３６の両端を半球状にして中央部分に弾性力を持たせることによって行うことができる。
【００３６】
バルブボディ等の被把持対象物は、立設部１２の右側平面である把持面１６と、スライド体２０の左側側面である挟持面２１とによって挟まれて把持される。
【００３７】
軸体３０を右方向に動くように回転させると、ピン３６と環状溝２３とは摺動可能にはめ合わされているので、ピン３６の先端部の右側側面が環状溝２３を押圧し、スライド体２０は右方向にスライドさせられる。
【００３８】
図４は、スライド体２０の底面２４と本体１０の上面１４との間に、ガイド溝１８と凸部２５が形成されている状態を示し、ガイド溝１８と凸部２５とは摺動可能に接している。この例では、ガイド溝１８はアリ溝で、凸部２５はアリガタとなっている。このガイド機構を有することで、スライド体２０のスライドがよりスムーズとなる。
【００３９】
図４のようなアリ溝とアリガタの組合せの場合は、図３に示すように本体１０と立設部１２とは別体として、スライド体２０の凸部２５をガイド溝１８に挿入した後に、ボルト１９によって立設部１２をスライド体２０のベース部１１に固定することによって組み立てることが出来る。ガイド溝１８と凸部２５とを、アリ溝とアリガタの組合せとせずに、横断面矩形とすれば、アリ溝とアリガタの組合せの場合のように本体１０と立設部１２とを別体としなくてもよい。また、ガイド溝１８は本体１０の上面１４の端から端まで設ける必要はない。
【００４０】
図５は、実施例１のレンチ１でバルブ４０のバルブボディ４１を保持しているところを示している。このレンチ１は、上下方向の寸法が小さいので、配管が数多く張り巡らされた現場においても、それらの配管をくぐってバルブボディ４１に接近して保持することが可能となる。
【符号の説明】
【００４１】
１  ：レンチ
１０：本体
１１：ベース部
１２，１３：立設部
１４：上面
１５：雌ねじ部 
１６：把持面
１７：マーク 
１８：ガイド溝
１９：ボルト
２０：スライド体
２１：挟持面
２２：ピン
２３：環状溝
２４：底面
２５：凸部
２６：凹部
３０：軸体
３１：雄ねじ部
３２：ハンドル部
３３：ローレット部
３４：押圧部
３５：環状溝
３６：ピン
３７：貫通孔
４０：バルブ
４１：バルブボディ
４２：締結ナット
５０：モンキーレンチ
【図１】
2019155551.tif 000003
【図２】
2019155551.tif 000004
【図３】
2019155551.tif 000005
【図４】
2019155551.tif 000006
【図５】
2019155551.tif 000007
【図６】
2019155551.tif 000008